(57)【要約】【課題】  天井用内装板を天井枠木に止着する際に、作業性よく一人で施工することを可能にした板材施工補助具およびこれを用いた板材施工方法を提供する。【解決手段】  枠木３への内装板２の止着施工時に、該内装板を一時的に支持して該止着施工を補助する板材施工補助具であって、上記枠木３に対する平坦な当接面１１ａを有する支持部材本体１１、および該支持部材本体の上記当接面から上記内装板が遊嵌可能な段差１５を介して延出するように設けられた受部１２を有し、該受部に、上記内装板２を枠木３に止着する止着金具を打込むための打込用貫通孔１８を有してなる支持部材１０と、上記支持部材を上記枠木に固定するクランプ装置２０とを備える。【選択図】        図１
2005155258.tif 000002
【特許請求の範囲】
【請求項１】
枠木への板材の止着施工時に、該板材を一時的に支持して該止着施工を補助する板材施工補助具であって、
上記枠木に対する平坦な当接面を有する支持部材本体、および該支持部材本体の上記当接面から上記板材が遊嵌可能な段差を介して該支持部材本体の一端から延出するように設けられた受部を有し、該受部に、上記板材を上記枠木に止着する止着金具を打込むための打込用貫通孔を有してなる支持部材と、
上記支持部材を上記枠木に固定するクランプ装置と、
を備えることを特徴とする板材施工補助具。
【請求項２】
上記支持部材は、上記受部の端部に該受部の上記板材の遊嵌間隙を広げる方向に傾斜する傾斜部を有することを特徴とする請求項１に記載の板材施工補助具。
【請求項３】
上記支持部材は、上記受部と反対側であり、かつ、上記枠木への当接面と反対側の角部が角取りされていることを特徴とする請求項１または２に記載の板材施工補助具。
【請求項４】
上記クランプ装置は、上記支持部材に取付けられた第１のクランプ座と、該クランプ座に回転自在に連設したネジ軸と、該ネジ軸の延出端に設けられたハンドルと、一端に上記ネジ軸が螺合する雌ネジ部が設けられ、他端に貫通孔が設けられたアームと、上記第１のクランプ座に対向し上記枠木に当接される第２のクランプ座と、該第２のクランプ座から上記枠木を迂回して上記貫通孔に遊動自在に貫通させたロッド部を備えるＬ型フレームとを有し、上記ロッド部は、それがわずかに傾いたときに上記貫通孔に固定されるように構成した、
ことを特徴とする請求項１〜３のいずれかに記載の板材施工補助具。
【請求項５】
請求項１記載の板材施工補助具を用いて、板材をあらかじめ設置された複数の枠木に止着する板材施工方法であって、
ａ）  上記枠木の上記板材を止着する域に隣接する複数の位置の該枠木に、複数の上記該補助具を、上記補助具の受部のみを上記域に突出させて、それらの受部により板材の一側端を遊嵌状態で支持することが可能な間隔で固定する第１の工程、
ｂ）  固定された上記補助具の受部に、上記板材の一端を遊嵌する第２の工程、
ｃ）  上記板材を、その一端を上記補助具に保持させた状態で止着すべき箇所に位置決めし、該板材における上記補助具で保持されていない部分を止着金具で上記枠木に止着する第３の工程、
ｄ）  上記板材を上記受部の打込用貫通孔において止着金具で上記枠木に止着する第４の工程、
ｅ）  上記枠木から補助具を取外す第５の工程、
を経て上記板材を上記枠木に止着する、
ことを特徴とする板材施工補助具を用いた板材施工方法。
【発明の詳細な説明】
【技術分野】
【０００１】
本発明は、天井用内装板等の板材を取付け施工する際に用いる板材施工補助具に関し、より詳しくは、板材を枠木に止着する際に、該板材の一端を固定しているときにその他端を一時的に保持可能にするとともに、止着作業をも容易にした板材施工補助具およびこれを用いた板材施工方法に関する。
【背景技術】
【０００２】
従来、天井には、耐火性の見地から不燃性の石膏ボード等からなる内装板が広く用いられている。しかしながら、この石膏ボードを含めて内装板はかなりの重量があり、通常畳１畳程度の大きさを有する天井用内装板を天井枠木に固定する際は、一人で施工することは困難であり、該内装板の一側端を止着金具で固定しているときは、他側端を何らかの手段で支えている必要があった。
そこで、簡易な支持手段で内装板の一端を支持して一人で簡易に施工するための道具または施工方法の開発が望まれていた。
【０００３】
この場合に、何らかのクランプ手段または支持手段により内装板の一側端を保持した状態で他側端を止着金具で固定すればよいが、上記クランプ手段または支持手段で保持した側の端部を止着金具で固定しようとするときに、該クランプ手段や支持手段が作業の障害になるため、内装板を支えながらそれらを除去したうえで、該内装板を止着金具で止着する必要があり、作業性が改善されるとはいえなかった。
【発明の開示】
【発明が解決しようとする課題】
【０００４】
本発明は、上述の問題を解決するためになされたもので、天井用内装板等を天井枠木に止着する際に、作業性よく一人で施工することを可能にした板材施工補助具およびこれを用いた板材施工方法を提供することにある。
【課題を解決するための手段】
【０００５】
上記課題を解決するための本発明の板材施工補助具は、枠木への板材の止着施工時に、該板材を一時的に支持して該止着施工を補助する板材施工補助具であって、上記枠木に対する平坦な当接面を有する支持部材本体、および該支持部材本体の上記当接面から上記板材が遊嵌可能な段差を介して該支持部材本体の一端から延出するように設けられた受部を有し、該受部に、上記板材を上記枠木に止着する止着金具を打込むための打込用貫通孔を有してなる支持部材と、上記支持部材を上記枠木に固定するクランプ装置とを備えたことを特徴とするものである。
【０００６】
本発明の板材施工補助具の好ましい実施態様においては、上記支持部材に、上記受部の端部に該受部の上記板材の遊嵌間隙を広げる方向に傾斜する傾斜部が設けられる。
また、上記支持部材には、上記受部と反対側であり、かつ、上記枠木への当接面と反対側の角部が角取りされる。
【０００７】
本発明の板材施工補助具の他の好ましい実施態様においては、上記クランプ装置が、上記支持部材に取付けられた第１のクランプ座と、該クランプ座に回転自在に連設したネジ軸と、該ネジ軸の延出端に設けられたハンドルと、一端に上記ネジ軸が螺合する雌ネジ部が設けられ、他端に貫通孔が設けられたアームと、上記第１のクランプ座に対向し上記枠木に当接される第２のクランプ座と、該第２のクランプ座から上記枠木を迂回して上記貫通孔に遊動自在に貫通させたロッド部を備えるＬ型フレームとを有し、上記ロッド部は、それがわずかに傾いたときに上記貫通孔に固定されるように構成される。
【０００８】
また、上記課題を解決するための本発明の板材施工方法は、上記板材施工補助具を用いて板材をあらかじめ設置された複数の枠木に止着する板材施工方法であって、
ａ）  上記枠木の上記板材を止着する域に隣接する複数の位置の該枠木に、複数の上記該補助具を、上記補助具の受部のみを上記域に突出させて、それらの受部により板材の一側端を遊嵌状態で支持することが可能な間隔で固定する第１の工程、
ｂ）  固定された上記補助具の受部に、上記板材の一端を遊嵌する第２の工程、
ｃ）  上記板材を、その一端を上記補助具に保持させた状態で止着すべき箇所に位置決めし、該板材における上記補助具で保持されていない部分を止着金具で上記枠木に止着する第３の工程、
ｄ）  上記板材を上記受部の打込用貫通孔において止着金具で上記枠木に止着する第４の工程、
ｅ）  上記枠木から補助具を取外す第５の工程、
を経て上記板材を上記枠木に止着することを特徴とするものである。
【発明の効果】
【０００９】
上述した本発明の板材施工補助具およびこれを用いた板材施工方法によれば、該補助具で内装板の一側端を一時的に支持した状態で、該板の他側端を止着金具で止着することができるばかりでなく、この支持状態のままで上記補助具による支持側端を、受部に設けた打込用貫通孔を利用して止着金具で止着できるので、枠木への板材の取り付けを作業性よく一人で施工することが可能であるとともにその施工が容易である。
【発明を実施するための最良の形態】
【００１０】
本発明の板材施工補助具の構成を、図面に示す実施例に基づいて詳細に説明する。
この板材施工補助具１は、図１及び図２に示すように、天井用内装板２を天井枠木３にネジ等の止着金具で止着施工する際に、枠木３に固定して内装板２の一側端を一時的に支持することにより、該止着施工を補助するためのもので、上記枠木３に対する当接面１１ａを有する支持部材本体１１、および該支持部材本体１１から延出した受部１２を有する支持部材１０と、この支持部材１０を枠木３に固定するクランプ装置２０とから構成されている。
【００１１】
上記支持部材１０は、相互に接着されている第１支持部材１３と第２支持部材１４とからなり、上記第１支持部材１３は、その厚さが固定しようとする内装板２のうちの最大の厚さよりも若干大きく形成されていて、上述した枠木３に当接する平坦な当接面１１ａを有している。また、これに接合している第２支持部材１４は、上記第１支持部材１３の一端側から突出することにより、上記内装板２が遊嵌可能な段差１５を介して延出する受部１２を形成し、該受部１２の端部には上記内装板２の遊嵌間隙を広げる方向に傾斜して内装板２の挿入を容易にする傾斜部１７を設けている。そして、内装板２を受部１２で支持したままの状態で枠木３にネジ等の止着金具を打ち込むために、該受部１２にその打込用貫通孔１８が設けられている。
一方、第１および第２支持部材１３，１４の受部１２とは反対側の端部１９は面一になっていて、枠木３への当接面１１ａと反対側の角部１９ａが円弧状に角取りされている。
【００１２】
図２は、枠木３を挟持した状態におけるクランプ装置２０の構成を示している。
このクランプ装置２０は、第１支持部材１３における第２支持部材１４との接合面に当接する第１のクランプ座２１を備え、第２支持部材１４には、該クランプ座２１を収容して保持する凹部１４ａを設けるとともに、該クランプ座２１にボールジョイント２１ａを介して連設されたネジ軸２３が挿通されるネジ軸挿通孔１４ｂを、該凹部１４ａに連通するように穿孔している。それにより、上記支持部材１０に取付けられた第１のクランプ座２１に回転自在に連設したネジ軸２３がネジ軸挿通孔１４ｂを通して外部に導出され、支持部材１０に対してクランプ部材１０が離脱しないように連結される。そして、上記ネジ軸２３の延出端には、ハンドル２４が固定的に取付けられている。
【００１３】
また、上記ネジ軸２３には、それと直交する方向に伸びるアーム２５の一端に設けられた雌ネジ部２６が螺合され、該アーム２５の他端には貫通孔２７が設けられている。そして、上記第１のクランプ座２１に対向して上記枠木３に当接させる第２のクランプ座２８には、上記枠木３を迂回して伸びるロッド部３１を備えたＬ型フレーム３０を連結し、このロッド部３１を上記貫通孔２７に遊動自在に貫通させている。
上記ロッド部３１は、それが貫通孔２７に対してわずかに傾いたときに、上記貫通孔２７の両端部口縁２７ａにロッド部３１の一部がこじるようにして局部的に圧接し、それにより該貫通孔２７に一時的に固定されるようにしたものである。
【００１４】
すなわち、第１のクランプ座２１を取付けた支持部材１０と第２のクランプ座２８とで枠木３を挟持し、ネジ軸２３を雌ネジ部２６が下動する方向（ネジ軸２３を上動させる方向）に回転させると、ロッド部３１に対して貫通孔２７がその位置を保持したままでアーム２５がロッド部３１に対してわずかに傾斜し、それによって貫通孔２７の両端部口縁２７ａがロッド部３１に強く圧接し、貫通孔２７に対してロッド部３１が強固に固定される。
これにより、第１のクランプ座２１を取付けた支持部材１０と第２のクランプ座２８を有する補助具１は、枠木３にしっかりと固定される。
【００１５】
ついで、上記板材施工補助具１の使用方法および作用について詳細に説明する。
図３は、本発明の施工方法の実施例を説明するためのもので、天井には、天井用内装板２を止着するためにあらかじめ多数の天井枠木３が設置されている。本発明の施工方法は、それらの天井枠木３に内装板２を当てて、木ネジ等の止着金具を打ち込むことにより内装の施工を行うものである。
【００１６】
天井枠木３は、天井の全体に、少なくとも一方向にほぼ一定間隔で平行に多数本が設置されている。そして、図３に示すように、室の角部から順々に、この枠木３に内装板２が、その長方形状の長手方向が枠木３を横切るように止着される。その工程は、次のａ）〜ｅ）の通りである。
【００１７】
ａ）  第１の工程について
この工程では、先ず、内装板２が止着される位置を見積もり、上記枠木３の上記内装板２を止着する見積もり域に隣接する複数の該枠木３に、それぞれ補助具１が固定される。この際、補助具１は内装板２が止着される見積もり域に受部１２のみが多少の余裕をもって突出し、すなわち、既設の内装板２の端縁とそれらの受部１２の段差１５との間に内装板２を遊嵌状態で支持することが可能な間隔を置き、しかも、打込用貫通孔１８が内装板２の止着金具打ち込み位置に来るような位置関係で固定される。
【００１８】
ｂ）  第２の工程について
この工程では、作業者が内装板２を持って第１の工程で枠木３に固定された上記補助具１の受部１２に、上記内装板２の一側端の長辺を挿入して遊嵌状態で一時的に支持させる。枠木３に固定した補助具１は、受部１２の先端に傾斜部１７を有しているので、内装板２の挿入を容易に行うことができる。
【００１９】
ｃ）  第３の工程について
この工程では、内装板２の上記一側端を補助具１で一時的に保持させた状態で、他側端を作業者が保持し、その状態で該内装板２の位置をずらしてそれを止着すべき箇所に位置決めする。この場合、内装板２は、補助具１に遊嵌状態で支持されているだけであるため、位置決めするための範囲では自由に動かすことができる。位置決めした内装板２は、上記補助具１で保持されていない部分を、例えばネジ打ち機で木ネジを打ち込むなどの止着手段で上記枠木３に止着する。
このようにして内装板２の一側端を止着金具で枠木３に固定すると、該内装板２の他端は補助具１で支持されているので、施工者は内装板２から手を離すことができる。
【００２０】
ｄ）  第４の工程について
この工程では、内装板２の補助具１による保持端を枠木３に固定するために、必要に応じて脚立などの足場を内装板２の他端側に移動する。内装板２を保持している補助具１の受部１２には打込用貫通孔１８が設けられ、それを内装板２への止着金具の打ち込み位置近傍に配置しているので、内装板２を補助具１に保持させたままの状態で、打込用貫通孔１８を通して内装板２に止着金具を打ち込み、内装板２を枠木３に止着することができる。補助具１のない位置においても適宜止着金具で止着できるのは勿論である。
【００２１】
ｅ）  第５の工程について
上述のようにして内装板２の必要個所を枠木３に止着した後、補助具１を取外す。なお、上記補助具１は、それを取外した場合、第２のクランプ座２８を取付けたＬ型フレーム３０を利用して近くの枠木３に引っ掛けておくことができるので、つぎの内装板２の止着準備に際して持ち歩く手間が不要である。
【００２２】
その他の内装板２ついても上記第１〜第５の工程を順次繰り返して天井の枠木３に止着することができる。
また、天井の壁際などのように、内装板２が止着される位置から枠木３が外方に延びていない場合には、図４を参照して以下に説明するようにして、枠木３に内装板２を止着することができる。    
【００２３】
ａ）  第１の工程について
側壁には、あらかじめ垂直方向に設置された側壁枠木５が設けられている。内装板２一側端の長辺を施工済みの手前の内装板２に当接して、該内装板２の他側端の長辺が側壁枠木５の近辺に来るようにした場合、天井枠木３に補助具１を固定できないので、該側壁枠木５に適数の補助具１を取り付ける。この場合、補助具１は、支持部材１０における受部１２の反対側の端部１９を、天井枠木３との間に内装板２を遊嵌し得る間隙を残して側壁枠木５に固定する。上記上記支持部材１０の端部１９には角取りされた角部１９ａがあるので、内装板の遊嵌が容易である。
【００２４】
ｂ）  第２の工程について
ついで、内装板２を持ってその一側端の長辺を支持部材１０のそれぞれの端部１９上に挿入し、その内装板２を該端部に遊嵌状態に支持させて一時的に保持する。
【００２５】
ｃ）  第３の工程について
前述の実施例と同様に、位置決めした内装板２をその位置に保持し、内装板２の他端側を止着金具で枠木３の所定位置に止着する。
【００２６】
ｄ）  第４の工程について
つぎに、内装板２の補助具１に載置されている側を、補助具１が固定されていない部位において止着金具で止着する。その後、補助具１を取り外し、補助具１が固定されていた部位およびその他の未止着部位において、天井枠木３に内装板２を止着金具で止着する。
ｅ）  第５の工程について
内装板２の必要個所を枠木３に止着した後、補助具１を取外す。
【００２７】
上述した板材施工補助具の利用は、ここで説明した使用法に限らず、各種板材を止着金具で止着する際に用いることができ、それらの場合においても、補助具の受部１２において一側端を一時的に支持させた板材の他側端を止着した後、補助具１で支持している側を止着するに際して、該補助具１で板材を支持したままで打込用貫通孔１８を通して止着金具を打ち込むことができるので、板材の止着の作業性が改善される。
また、上記止着金物としては、木ネジばかりでなく、釘その他の打込用貫通孔１８を通して打込み得る各種止着金具を用いることができる。更に、クランプ装置としては上記実施例に示したものは望ましい一例であり、支持部材１０の固定に適した各種クランプ装置を用いることができる。
【図面の簡単な説明】
【００２８】
【図１】本発明に係る板材施工補助具の実施例を枠木に固定した状態を示す斜視図である。
【図２】上記実施例におけるクランプ装置の構成を示す部分破断側面図である。
【図３】本発明の施工方法の実施態様を説明するための天井内装板の施工状態を示す斜視図である。
【図４】図３とは異なる施工態様を説明するための天井内装板の施工状態を示す部分破断斜視図である。
【符号の説明】
【００２９】
１      板材施工補助具
２      内装板（板材）
３      枠木      
１０    支持部材
１１    支持部材本体
１１ａ  当接面
１２    受部
１３    第１支持部材
１４    第２支持部材
１５    段差
１８    打込用貫通孔
１９    端部
１９ａ  角部
２０    クランプ装置
２１    第１のクランプ座
２３    ネジ軸
２４    ハンドル
２５    アーム
２６    雌ネジ部
２７    貫通孔
２８    第２のクランプ座
３０    Ｌ型フレーム
３１    ロッド部
【図１】
2005155258.tif 000003
【図２】
2005155258.tif 000004
【図３】
2005155258.tif 000005
【図４】
2005155258.tif 000006